(57)【要約】 【課題】  平面型放電管を使用した平面型照明装置であって、外部からの衝撃に対して強く、当該平面型放電管が割れた際には周囲への飛散を防止すると共に、平面型放電管を覆うケースやグローブを必要としなくても感電を防止できる平面型照明装置を提供する。【解決手段】  平面型放電管１片面側の透明電極４と、透明ガラス１２の片面１２ｂが、シリコン製の透明接着剤１４によって接合されている。また、透明電極４、５に接続されたリード線４ａ、５ａは、交流電源８と接続された駆動回路に接続され、駆動回路に接続されたリード線５ａは、端子１０で分岐されて接地されている。【選択図】          図２
2006164907.tif 000002
【特許請求の範囲】
【請求項１】
所定の放電距離だけ離間して平行に対向配置された第1誘電体平板と第２誘電体平板の周辺部を封着部材で封着し、内部に所定の放電ガスを封入した放電空間を形成し、前記第1誘電体平板及び第２誘電体平板の内面または外面のそれぞれに設けた一対の薄膜状電極に所定の電圧を付与することにより前記放電空間内の放電ガスに放電を発生させて、前記薄膜状電極の少なくともいずれか一方に形成した発光面にて可視光が生じるようにした平面型放電管と、
前記平面型放電管の前記発光面側に密着するようにして配設した透光性の絶縁板と、
を備えることを特徴とする平面型照明装置。
【請求項２】
前記透光性の絶縁板の略中央部に凹部が設けられ、該凹部に前記平面型放電管が収められると共に、該凹部の底面に前記平面型放電管の発光面を密着するようにして配設した、ことを特徴とする請求項１に記載の平面型照明装置。
【請求項３】
前記第２誘電体平板の外面に薄膜状電極を設け、前記第１誘電体平板の内面または外面に薄膜状電極を設けた平面型放電管の前記第１誘電体平板に形成された発光面に密着するようにして透光性の絶縁板を配設した平面型照明装置であって、
前記第２誘電体平板の外面に設けられた薄膜状電極が、前記平面型放電管を駆動する駆動回路の接地端に接続されている、
ことを特徴とする請求項１または請求項２に記載の平面型照明装置。
【請求項４】
前記平面型放電管の発光面側には、透明接着剤が塗布されて前記透光性の絶縁板が密着して接着される、
ことを特徴とする請求項１〜３のいずれかに記載の平面型照明装置。
【請求項５】
前記平面型放電管の発光面側と前記透光性の絶縁板とを密着して重ね合わせた後、その外側を透光性の熱収縮薄膜にて覆い固定する、
ことを特徴とする請求項１〜３のいずれかに記載の平面型照明装置。
【請求項６】
前記透光性の絶縁板は透明ガラスであって、
前記平面型放電管の発光面側と前記透明ガラスとを密着して重ね合わせた後、前記平面型放電管の周縁部と前記透明ガラスとをガラス接着剤にて接着させ固定する、
ことを特徴とする請求項１〜３のいずれかに記載の平面型照明装置。
【請求項７】
前記透光性の絶縁板は磨りガラスである、
ことを特徴とする請求項１〜６のいずれかに記載の平面型照明装置。
【請求項８】
前記透光性の絶縁板は透明ガラスであって、前記平面型放電管の発光面と密着する側と反対側の面には、ダイアカットが施されている、
ことを特徴とする請求項１〜６のいずれかに記載の平面型照明装置。
【請求項９】
前記透光性の絶縁板の両面周縁に設けられた溝部と、
前記溝部に係止される係止部を設けた外周枠と、
を備えたことを特徴とする請求項１〜８のいずれかに記載の平面型照明装置。
【請求項１０】
前記透光性の絶縁板の周縁には、少なくとも２個以上の孔が設けられた、
ことを特徴とする請求項１〜９のいずれかに記載の平面型照明装置。
【発明の詳細な説明】
【技術分野】
【０００１】
本発明は、平面型放電管を用いた照明装置に関し、詳しくは、所定の放電距離だけ離間して平行に対向配置された第1誘電体平板と第２誘電体平板の周辺部を封着部材で封着し、内部に所定の放電ガスを封入した放電空間を形成し、前記第1誘電体平板及び第２誘電体平板の内面または外面のそれぞれに設けた一対の薄膜状電極に所定の電圧を付与することにより前記放電空間内の放電ガスに放電を発生させて、前記薄膜状電極の少なくともいずれか一方に形成した発光面にて可視光が生じるようにした平面型放電管を用いた平面型の照明装置に関する。
【背景技術】
【０００２】
従来の平面型放電管は、上述した構成であって、特許文献１に開示されているような一例がある。即ち、一対の平行配置された透明なガラス基板を所定間隔をおいて周囲を封着部材で封着して内部に放電空間を形成し、一対のガラス基板の外面のそれぞれに薄膜状電極を設け、第１のガラス基板の外面には、酸化スズやＩＴＯ（酸化インジウムスズ：Ｉｎｄｉｕｍ  ｔｉｎｏｘｉｄｅ）等からなる透明電極が設けられ発光面とされる。一方、第２のガラス基板の外面には、銀ペースト塗布膜や銀蒸着膜等からなる金属製の不透明電極が設けられている。なお、他の例として、両面を発光面とする場合には、第２のガラス基板の外面にも透明電極が設けられる。
【０００３】
また、発光面が大きな従来の平面型放電管５１においては、図１４に示すように、放電空間内に平行配置した複数の誘電体リブが形成されたものがある。これは、所定の放電距離によって規定される高さの等しい複数の誘電体リブ７０を、その内面に離間して一体に設けた第１のガラス基板５２ｂと、この第１のガラス基板５２ｂに対向して平行に配置した第２のガラス基板５２ａと、これらの両ガラス基板の外面にそれぞれ設けた薄膜状電極５５，５６とにより構成され、前記ガラス基板の間に形成された密閉空間にキセノン等の放電ガスを封入して前記薄膜状電極に所定の交流電圧を付与することにより、前記密封空間内の放電ガスに放電を発生させて前記両薄膜状電極の少なくともいずれか一方に形成した発光面にて可視光が生じるようにした平面型放電管である。上述したように、薄膜状電極５５，５６の少なくともいずれか一方を透明電極は発光面として構成される。
【０００４】
また、このような従来の平面型放電管を照明装置として利用した例（特許文献２）として自動車用照明装置がある。この自動車用照明装置は、例えば、ワゴン車やミニバン車等の自動車の室内に半埋め込み式に設置されて使用されるものであり、主に天井に設置されるものである。この自動車用照明装置の発光素子には、上述の平面型放電管が内装されており、この照明装置の上面カバーは透光性を有するグローブで覆われている。この自動車用照明装置は、平面型放電管を使用しているために、その厚さが従来の蛍光管を用いた自動車用照明装置と比較すると非常に薄く、しかも発光面が平面状であるために、発光がムラ無く外部に照射されるという利点を有している。
【０００５】
また、同日出願の特願２００４−３５８４６２（特許文献３）においては、平面型放電管を表示装置として使用した発明が示されている。これは、発光しない部分を利用して平面型放電管に模様や文字形状を写しだすことによる表示装置であって、この平面型放電管自体を外部から観察できるように構成される。
【０００６】
【特許文献１】特許第３４８１７２１号公報
【特許文献２】意匠登録第１２０２４７０号公報
【特許文献３】特願２００４−３５８４６２
【発明の開示】
【発明が解決しようとする課題】
【０００７】
上述の表示装置のように、平面型放電管の発光面を直接、目視できるようにする必要がある。また、従来の丸形蛍光管のように、平面型放電管においても、グローブを必要としない使用方法が要望されていた。しかしながら、当該平面型放電管は、厚さが３〜５ｍｍ程度と非常に薄いために、外部から受ける衝撃に対して弱く、割れやすいという欠点があった。更に割れた際に周囲に平面型放電管を構成しているガラスが飛散するという危険性があった。
【０００８】
これを解消するために、当該平面型放電管のガラス基板から形成される誘電体平板を厚くすることが考えられたが、ガラス基板の有する抵抗が大きくなるために、平面型放電管の発光には、所定の交流電圧を上昇させなければならないという問題が発生する。それゆえ、実用上の観点から、ガラス基板の厚さを必要以上に厚くできないという問題がある。
【０００９】
一方、従来の平面型放電管においては、一対のガラス基板のそれぞれの外面に薄膜状電極が設けられているため、グローブが設けられていないような使用方法では、人が誤って接触して感電するおそれがある。特に、上述した模様や文字表示を行うような表示装置においては、その可能性が非常に大きい。従来の平面型放電管５１では、薄膜状電極５６、５６間に付与する電圧は、そのピーク値が例えば１ｋＶ程度の高電圧であるため危険であり、何らかの安全対策が必要であった。
【００１０】
そこで、本発明は、平面型放電管を使用した平面型照明装置であって、外部からの衝撃に対して強く、当該平面型放電管が割れた際には周囲への飛散を防止すると共に、平面型放電管を覆うケースやグローブを必要としなくても感電を防止できる平面型照明装置を提供することを目的とする。
【課題を解決するための手段】
【００１１】
前記目的を達成するために、本発明のうちで請求項１に記載の平面型照明装置は、
所定の放電距離だけ離間して平行に対向配置された第1誘電体平板と第２誘電体平板の周辺部を封着部材で封着し、内部に所定の放電ガスを封入した放電空間を形成し、前記第1誘電体平板及び第２誘電体平板の内面または外面のそれぞれに設けた一対の薄膜状電極に所定の電圧を付与することにより前記放電空間内の放電ガスに放電を発生させて、前記薄膜状電極の少なくともいずれか一方に形成した発光面にて可視光が生じるようにした平面型放電管と、
前記平面型放電管の前記発光面側に密着するようにして配設した透光性の絶縁板と、
を備えることを特徴とする。
【００１２】
また、請求項２に記載の平面型照明装置は、請求項１に記載の平面型照明装置に加えて、
前記透光性の絶縁板の略中央部に凹部が設けられ、該凹部に前記平面型放電管が収められると共に、該凹部の底面に前記平面型放電管の発光面を密着するようにして配設した、ことを特徴とする。
【００１３】
また、請求項３に記載の平面型照明装置は、請求項１または請求項２に記載の平面型照明装置に加えて、
前記第２誘電体平板の外面に薄膜状電極を設け、前記第１誘電体平板の内面または外面に薄膜状電極を設けた平面型放電管の前記第１誘電体平板に形成された発光面に密着するようにして透光性の絶縁板を配設した平面型照明装置であって、
前記第２誘電体平板の外面に設けられた薄膜状電極が、前記平面型放電管を駆動する駆動回路の接地端に接続されている、
ことを特徴とする。
【００１４】
また、請求項４に記載の平面型照明装置は、請求項１〜３のいずれかに記載の平面型照明装置に加えて、
前記平面型放電管の発光面側には、透明接着剤が塗布されて前記透光性の絶縁板が密着して接着される、
ことを特徴とする。
【００１５】
また、請求項５に記載の平面型照明装置は、請求項１〜３のいずれかに記載の平面型照明装置に加えて、
前記平面型放電管の発光面側と前記透光性の絶縁板とを密着して重ね合わせた後、その外側を透光性の熱収縮薄膜にて覆い固定する、
ことを特徴とする。
【００１６】
また、請求項６に記載の平面型照明装置は、請求項１〜３のいずれかに記載の平面型照明装置に加えて、
前記透光性の絶縁板は透明ガラスであって、
前記平面型放電管の発光面側と前記透明ガラスとを密着して重ね合わせた後、前記平面型放電管の周縁部と前記透明ガラスとをガラス接着剤にて接着させ固定する、
ことを特徴とする。
【００１７】
また、請求項７に記載の平面型照明装置は、請求項１〜６のいずれかに記載の平面型照明装置に加えて、
前記透光性の絶縁板は磨りガラスである、
ことを特徴とする。
【００１８】
また、請求項８に記載の平面型照明装置は、請求項１〜６のいずれかに記載の平面型照明装置に加えて、
前記透光性の絶縁板は透明ガラスであって、前記平面型放電管の発光面と密着する側と反対側の面には、ダイアカットが施されている、
ことを特徴とする。
【００１９】
また、請求項９に記載の平面型照明装置は、請求項１〜８のいずれかに記載の平面型照明装置に加えて、
前記透光性の絶縁板の両面周縁に設けられた溝部と、
前記溝部に係止される係止部を設けた外周枠と、
を備えたことを特徴とする。
【００２０】
また、請求項１０に記載の平面型照明装置は、請求項１〜９のいずれかに記載の平面型照明装置に加えて、
前記透光性の絶縁板の周縁には、少なくとも２個以上の孔が設けられた、
ことを特徴とする。
【発明の効果】
【００２１】
請求項１に記載の平面型照明装置によれば、
前記平面型放電管の前記発光面側に密着するように透光性の絶縁板を配設したので、当該平面型放電管を補強できると共に、発光面側から透明電極に触れることがないので、感電を防止することができる。また、この絶縁板は透光性であるので、発光面から照射される光を遮ることなく外部へ放射できる。
【００２２】
また、請求項２に記載の平面型照明装置によれば、請求項１に記載の平面型照明装置の効果に加えて、
前記透光性の絶縁板の略中央部に凹部が設けられ、該凹部に前記平面型放電管が収められると共に、該凹部の底面に前記平面型放電管の発光面を密着するようにして配設したので、当該平面型放電管が前記透光性の絶縁板の外部への出っ張りが無いため、平面型放電管が破損しにくくなる。また、当該平面型照明装置の保管に当たっては、平面型放電管を保護するための空間を省くことが可能となるため、保管スペースを最小限にすることができる。
【００２３】
また、請求項３に記載の平面型照明装置によれば、請求項１または請求項２に記載の平面型照明装置の効果に加えて、
前記平面型放電管の透光性の絶縁板が配設されない側の誘電体平板の外面に設けられた薄膜状電極が、前記平面型放電管を駆動する駆動回路の接地端に接続されることにより、誤ってこの薄膜状電極に触れた場合においても感電しない。
【００２４】
また、請求項４に記載の平面型照明装置によれば、請求項１〜３のいずれかに記載の平面型照明装置の効果に加えて、
前記平面型放電管の発光面側には、透明接着剤が塗布されて前記透光性の絶縁板が密着して接着されるので、当該平面型放電管が透光性の絶縁板に固定されるとともに、透明接着剤を介して外部へ光を照射することができる。
【００２５】
また、請求項５に記載の平面型照明装置によれば、請求項１〜３のいずれかに記載の平面型照明装置の効果に加えて、
前記平面型放電管の発光面側と前記透光性の絶縁板とを密着して重ね合わせた後、その外側を透光性の熱収縮薄膜にて覆い固定することにより、当該平面型放電管が透光性の絶縁板に固定されるとともに、透光性の熱収縮薄膜を介して外部へ光を照射することができる。また、接着工程を設けることがないので、生産性が高くなり、低コストの平面型照明装置を提供できる。さらに、熱収縮薄膜によって外部被膜が形成されているため、当該平面型照明装置が割れた場合のガラスの飛散を防止できる。
【００２６】
また、請求項６に記載の平面型照明装置によれば、請求項１〜３のいずれかに記載の平面型照明装置の効果に加えて、
前記平面型放電管の発光面側と前記透明ガラスとを密着して重ね合わせた後、前記平面型放電管の周縁部と前記透明ガラスとをガラス接着剤にて接着させることにより、当該平面型放電管が透明ガラスに固定することができる。
【００２７】
また、請求項７に記載の平面型照明装置によれば、請求項１〜６のいずれかに記載の平面型照明装置の効果に加えて、
前記透光性の絶縁板を磨りガラスとしたので、照射光の拡散が可能となると共に、当該平面型放電管の内部構造を外部から見えなくすることができる。また、当該平面型放電管と透光性の絶縁板との合わせ面にできる微細な空隙によって発生するモアレ現象を目立たなくすることができる。
【００２８】
また、請求項８に記載の平面型照明装置によれば、請求項１〜６のいずれかに記載の平面型照明装置の効果に加えて、
前記透光性の絶縁板は透明ガラスであって、前記平面型放電管の発光面と密着する側と反対側の面には、ダイアカットが施されているので、上記同様、照射光の拡散が可能となると共に、当該平面型放電管の内部構造を外部から見えなくすることができる。また、当該平面型放電管と透光性の絶縁板との合わせ面にできる微細な空隙によって発生するモアレ現象を目立たなくすることができる。
【００２９】
また、請求項９に記載の平面型照明装置によれば、請求項１〜８のいずれかに記載の平面型照明装置の効果に加えて、
前記透光性の絶縁板の両面周縁に溝部を設け、当該溝部に係止される係止部を設けた外周枠を設けたので、当該透光性の絶縁板は、この外周枠によって保護される。
【００３０】
また、請求項１０に記載の平面型照明装置によれば、請求項１〜９のいずれかに記載の平面型照明装置の効果に加えて、
前記透光性の絶縁板の周縁に少なくとも２個以上の孔を設けたことにより、この孔を利用して、この平面型照明装置を吊り下げたり固定させたりすることができる。
【００３１】
以上の発明の平面型照明装置によれば、外部からの衝撃に対して強く、当該平面型放電管が割れた際には周囲への飛散を防止すると共に、平面型放電管を覆うケースやグローブを必要としなくても感電を防止できる厚みの薄い平面型照明装置を提供することができる。
【発明を実施するための最良の形態】
【００３２】
以下、本発明の平面型照明装置の実施形態を図１〜１３を用いて説明する。なお、各実施形態において、同様の構成要素には同じ符号を付すこととする。
【００３３】
（第１の実施形態）
図１は第１の実施形態である平面型照明装置１１を示す。図１（ａ）は正面図、図１（ｂ）は底面図である。図２は図１（ａ）における断面図である。本実施形態の平面型照明装置１１は、主に平面型放電管１、透明ガラス１２、補強枠１３および平面型放電管１を駆動するための駆動回路８からなる。
【００３４】
平面型放電管１は、周枠部を一体にして形成された第１のガラス基板２と平行配置された第２のガラス基板３が低融点ガラスフリットからなる接着剤にて接着されることによって、内部に放電空間７が形成される。第１のガラス基板２に内面には、蛍光体膜６が形成されている。第１のガラス基板２よび第２のガラス基板の外面には、それぞれ酸化スズあるいはＩＴＯ（Ｉｎｄｉｕｍ  ｔｉｎｏｘｉｄｅ）の蒸着膜により形成した透明電極５、４が設けられており、放電空間７内には、キセノン等の放電ガスを封入されている。なお、平面型放電管１の放電空間７内には、補強用あるいは文字や模様形状をした誘電体リブが形成されたものもあるが、図２においてはこれを省略して図示している。
【００３５】
１２は透明ガラスから形成される透光性の絶縁板であり、その周縁上下の両面には、溝部１２ａが設けられている。また、平面型放電管１１片面側の透明電極４と、透明ガラス１２の片面１２ｂが、シリコン製の透明接着剤１４によって接合されている。また、一対の樹脂製の補強枠１３，１３の係止部１３ａが、透明ガラス１２の溝部１２ａに係止するようにして固定されている。なお、透明接着剤１４はテフロン（テフロンは登録商標であり、本明細書ではテトラフロロエチレン樹脂等の合成樹脂を指す）製であってもよい。
【００３６】
また、透明電極４、５に接続されたリード線４ａ、５ａは、交流電源９と接続された駆動回路８に接続され、駆動回路８に接続されたリード線５ａは、端子１０で分岐されてこれが接地されている。交流電源９によって駆動回路８に交流電圧が付与されると、駆動回路８によって高周波交流電圧が透明電極４，５に印加されて放電空間７内で放電が起こり、蛍光体膜６によって可視光が平面型放電管１の両面へ照射される。透明電極４側から照射される可視光は、透明接着剤１４と透明ガラス１２を介して外部へ照射される。
【００３７】
（第１の実施形態の効果）
次に第１の実施形態から把握される効果について記載する。
（１）            平面型放電１が透明接着剤によって透明ガラスに接着されているので、平面型放電管１が補強され割れにくくなる。
（２）            透明接着剤は、シリコンあるいはテフロン製であるので、透明ガラスが割れた際の飛散を防止することができる。
（３）            透明接着剤および透明ガラスは透明であるため、平面型放電管１から照射される可視光を透過し外部へ照射させることができる。
（４）            平面型放電管の透明電極側は接地されているので、誤ってこれに触れた際にも感電することがない。
【００３８】
（第１の実施形態の別例・応用例等）
図３に第１の実施形態の別例を示す。この実施例では、平面型放電管１の透明電極４側を透明ガラス１２の片面に密着させた後、平面型放電管１の第２のガラス基板３の周囲を透明ガラス１２とガラス接着剤１５によって接着している。このようにした場合にも、平面型放電管１１が補強されると共に、透明ガラス１２を介して照射光を外部へ照射させることができる。
【００３９】
図４および図５は、上記第１の実施形態の平面型照明装置１１の取付例である。天井１７に取付設置された一対のチャネンル（溝型鋼）状の枠部１５，１５のレール部１５ｂに、平面型照明装置１の透明ガラス１２の両側を下部より差し込んだ状態で、枠部１５に開口された孔１５ａと、これに対応するよう平面型照明装置１１の透明ガラス１２の両側に開口された孔１２ｂを重ね合わせて、ボルト１６によって固定される。天井１７裏側には、駆動回路８が設置されている。このようにして、天井設置両面発光型平面放電灯が完成する。
【００４０】
（第２の実施形態）
図６は第２の実施形態である平面型照明装置２１を示す。図６（ａ）は正面図、図６（ｂ）は底面図である。図７は図１（ａ）における断面図である。本実施形態の平面型照明装置２１は、主に平面型放電管１、透明ガラス２２、および平面型放電管１を駆動するための駆動回路８からなる。
【００４１】
平面型放電管１は、第１の実施形態と同様の構成であるので説明を省略する。透明ガラス２２からなる透光性の絶縁板には、平面型放電管１が収まるように凹部が設けられ、この底面に透明接着剤２４が塗布されて、平面型放電管１の透明電極４側が接着されて固定されている。第１の実施形態と同様に、透明接着剤２４は、シリコン製またはテフロン製である。
【００４２】
また、第１の実施形態と同様に、透明電極４、５に接続されたリード線４ａ、５ａは、交流電源９と接続された駆動回路８に接続され、駆動回路８に接続されたリード線５ａは、端子１０で分岐されてこれが接地されている。交流電源９によって駆動回路８に交流電圧が印可されると、駆動回路８によって高周波交流電圧が透明電極４，５に印加されて放電空間７内で放電が起こり、蛍光体膜６によって可視光が平面型放電管１の両面へ照射される。透明電極４側から照射される可視光は、透明接着剤２４と透明ガラス２２を介して外部へ照射される。
【００４３】
（第２の実施形態の効果）
次に第２の実施形態から把握される効果について記載する。第１の実施形態の効果と同様に、前記（１）〜（４）の効果に加えて、次の効果が把握される。即ち、
（５）            透光ガラスの略中央部に凹部が設けられ、この凹部に平面型放電管が収められると共に、凹部の底面に平面型放電管の透明電極を透明接着剤にて接着したので、平面型放電管が前記透光性の絶縁板の外部への出っ張りが無いため、平面型放電管が破損しにくくなる。また、当該平面型照明装置の保管に当たっては、平面型放電管を保護するための空間を省くことが可能となるため、保管スペースを最小限にすることができる。
【００４４】
（第２の実施形態の応用例等）
図８は、上記第２の実施形態の平面型照明装置２１の取付例である。天井１７に取付設置された一本のチャネンル（溝型鋼）状の枠部２７のレール部２７ａに、平面型照明装置２１の透明ガラス２２の上側を下部より差し込んだ状態で、枠部１５に開口された孔２７ｂと、これに対応するよう平面型照明装置１１の透明ガラス１２の上端両側に開口された孔２２ｂを重ね合わせて、ボルト２６によって固定される。天井１７裏側には、駆動回路８が設置されている。このようにして、天井設置両面発光型平面放電灯が完成する。
【００４５】
（第３の実施形態）
図９は第３の実施形態である平面型照明装置３１を示す。図９（ａ）は正面図、図９（ｂ）は底面図である。図１０は図９（ａ）における断面図である。本実施形態の平面型照明装置３１は、主に平面型放電管１、透明ガラス３２、熱収縮薄膜からなる熱収縮チューブ３４および平面型放電管１を駆動するための駆動回路８からなる。
【００４６】
平面型放電管１は、第１または第２の実施形態と同様の構成であるので説明を省略する。透光性の絶縁板は透明ガラス３２から形成されている。平面型放電管１の透明電極４側と透明ガラス３２の片面が密着して重ねられた後、熱収縮チューブ３４を被せて熱を加えることによって固定される。なお、この熱収縮チューブ３４はテフロン製、シリコン製、ありいはＰＥＴ（ポリエチレンテレフタレート）に代表されるポリエチレン樹脂製等であり、透光性を有する。また、本実施形態においては、熱収縮薄膜として、熱収縮チューブ３４を使用しているが、これに限定する必要はない。即ち、平面型放電管１の透明電極４側と透明ガラス３２の片面が密着して重ねられた後、これらの外部から熱収縮薄膜を巻き付けて接着剤にて仮固定し熱を加えて固定するようにしても良い。
【００４７】
また、第１または第２の実施形態と同様に、透明電極４、５に接続されたリード線４ａ、５ａは、交流電源９と接続された駆動回路８に接続され、駆動回路８に接続されたリード線５ａは、端子１０で分岐されてこれが接地されている。交流電源９によって駆動回路８に交流電圧が印可されると、駆動回路８によって高周波交流電圧が透明電極４，５に印加されて放電空間７内で放電が起こり、蛍光体膜６によって可視光が平面型放電管１の両面へ照射される。透明電極４側から照射される可視光は、透明ガラス２２および熱収縮チューブ３４を介して外部へ照射される。
【００４８】
（第３の実施形態の効果）
次に第１の実施形態から把握される効果について記載する。
（６）            平面型放電管１が透明ガラスに密着した状態で熱収縮チューブによって固定されているので、平面型放電管１が補強され割れにくくなる。
（７）            熱収縮チューブは、シリコンあるいはテフロン製であるので、透明ガラスが割れた際の飛散を防止することができる。
（８）            熱収縮チューブおよび透明ガラスは透明であるため、平面型放電管１から照射される可視光を透過し外部へ照射させることができる。
（９）            平面型放電管の透明ガラスが設置されていない側の透明電極側は接地されているので、前記透明電極側の熱収縮チューブにピンホール等があった場合に、誤ってこの面に触れた際にも感電することがない。
【００４９】
（第３の実施形態の応用例）
図１１は、上記第３の実施形態の平面型照明装置３１の取付例である。壁１８に取付設置された一対の棚受け３５，３５に平面型放電管１が取り付けられていない透明ガラス３２の両サイド部分３２ｃ、３２ｃを載せた状態で、棚受け３５に開口された雌ネジ部３５ａと、これに対応するよう平面型照明装置３１の透明ガラス３２の両側サイド３２ｃに開口された孔３２ｂを重ね合わせて、ボルト３６によって４箇所固定される。このように平面型照明装置３１を「光る棚」として利用することができ、展示物を棚面上部（平面型照明装置の透明ガラス面側）と、棚面下部（床側）に置くことで、平面型照明装置３１の上下両面から照射される光によって展示物を照らすことができる。
【００５０】
（第３の実施形態の別例）
図１２は第３の実施形態の別例である平面型照明装置４１を示す。図１２（ａ）は正面図、図１２（ｂ）は底面図である。図１３は図１２（ａ）における断面図である。本実施形態の平面型照明装置４１は、主に平面型放電管１、透明ガラス４２、熱収縮チューブ４４および平面型放電管１を駆動するための駆動回路８からなる。
【００５１】
平面型放電管１は、第１の実施形態と同様の構成であるので説明を省略する。透明ガラス４２からなる透光性の絶縁板には、平面型放電管１が収まるように凹部が設けられ、この底面に平面型放電管１の透明電極３が密着するようにして収められ、その後、熱収縮チューブを被せ熱を加えて固定する。なお、熱収縮チューブは、第３の実施形態と同様にテフロン製、シリコン製、あるいはＰＥＴ（ポリエチレンテレフタレート）に代表されるポリエチレン樹脂製等であり、透光性を有する。また、本実施形態においては、熱収縮薄膜として、熱収縮チューブ３４を使用しているが、第３の実施形態と同様これに限定する必要はなく、熱収縮膜を巻き付けて使用することもできる。
【００５２】
また、第１〜３の実施形態と同様に、透明電極４、５に接続されたリード線４ａ、５ａは、交流電源９と接続された駆動回路８に接続され、駆動回路８に接続されたリード線５ａは、端子１０で分岐されてこれが接地されている。交流電源９によって駆動回路８に交流電圧が印可されると、駆動回路８によって高周波交流電圧が透明電極４，５に印加されて放電空間７内で放電が起こり、蛍光体膜６によって可視光が平面型放電管１の両面へ照射される。透明電極４側から照射される可視光は、透明接着剤２４と透明ガラス２２を介して外部へ照射される。
【００５３】
（第３の実施形態の別例の効果）
次に第３の実施形態の別例から把握される効果について記載する。第３の実施形態の効果と同様に、前記（６）〜（９）の効果に加えて、次の効果が把握される。即ち、
（１０）  透明ガラスの略中央部に凹部が設けられ、この凹部に平面型放電管が収められると共に、凹部の底面に平面型放電管の透明電極を密着して収めた後、外部から熱収縮チューブによって固定したので、平面型放電管が前記透光性の絶縁板の外部への出っ張りが無くなり、平面型放電管が破損しにくくなる。
【００５４】
（その他の応用例等）
なお、本発明は、上記実施形態に限定するものではなく、本発明の要旨を変更しない範囲で様々な応用が可能である。例えば、上記実施形態における平面型放電管１は、一対のガラス基板の外面のそれぞれに透明電極を設けているが、すくなくともいずれか一方をガラス基板の内面に設けても良い。また、本発明の平面型照明装置は、両面発光を基本としているが、片面発光とする場合には、いずれか一方の電極を銅、銀等の金属薄膜状電極としてもよい。
【００５５】
また、透光性の絶縁板は、透明ガラスに限定する必要はなく、マイカや大理石等の鉱物であっても良いし、ポリエステル樹脂、メタクリル樹脂、塩化ビニル樹脂等により形成しても良い。
【００５６】
また、透光性の絶縁板を磨りガラスとして形成してもよい。あるいは、表面にシボ加工を施した絶縁板としても良い。あるいは、平面型放電管と密着する側と反対側の面にダイアカットを施した透明ガラス等としても良い。この場合、平面型放電管から発せられる照射光の拡散が可能となると共に、当該平面型放電管の内部構造を外部から見えなくすることができる。また、当該平面型放電管と透光性の絶縁板との合わせ面にできる微細な空隙によって発生するモアレ現象を目立たなくすることができる。
【図面の簡単な説明】
【００５７】
【図１】本発明の平面型照明装置の第１の実施形態であって、（ａ）はその正面図、（ｂ）はその底面図である。
【図２】図１（ａ）のＡ−Ａ拡大断面図である。
【図３】図１（ａ）の別例のＡ−Ａ拡大断面図である。
【図４】本発明の平面型照明装置の第１の実施形態を天井設置両面発光型平面放電灯として天井に設置する手順を示す図である。
【図５】本発明の平面型照明装置の第１の実施形態を天井設置両面発光型平面放電灯として組み付けた図である。
【図６】本発明の平面型照明装置の第２の実施形態であって、（ａ）はその正面図、（ｂ）はその底面図である。
【図７】図６（ａ）のＤ−Ｄ拡大断面図である。
【図８】本発明の平面型照明装置の第２の実施形態を天井設置両面発光型平面放電灯として組み付けた図である。
【図９】本発明の平面型照明装置の第３の実施形態であって、（ａ）はその正面図、（ｂ）はその底面図である。
【図１０】図９（ａ）のＣ−Ｃ拡大断面図である。
【図１１】本発明の平面型照明装置の第３の実施形態を「光る棚」として組み付けた図である。
【図１２】本発明の平面型照明装置の第３の実施形態の別例であって、（ａ）はその正面図、（ｂ）はその底面図である。
【図１３】図１２（ａ）のＢ−Ｂ拡大断面図である。
【図１４】従来の平面型放電管の構造を示す図であって、（ａ）は外観斜視図、（ｂ）は平面図、（ｃ）はＸ−Ｘ断面図である。
【符号の説明】
【００５８】
１・・・平面型放電管、２・・・第１のガラス基板、３・・・第２のガラス基板、４、５・・・透明電極、６・・・蛍光体膜、７・・・放電空間、８・・・駆動回路、９・・・交流電源、１０・・・設置接続点、１１・・・平面型照明装置、１２・・・透明ガラス、１３・・・補強枠、１４・・・透明接着剤、１５・・・枠部、１５ａ・・・孔、１６・・・ボルト、１７・・・天井、１８・・・壁、１９・・・床、２１・・・平面型照明装置、２２・・・透明ガラス、２２ｂ・・・孔、２４・・・透明接着剤、２６・・・ボルト、２６ｂ・・・ナット、２７・・・枠部、３１・・・平面型照明装置、３２・・・透明ガラス、３２ｂ・・・孔、３４・・・熱収縮チューブ、３５・・・棚受け、３６・・・ボルト、４１・・・平面型照明装置、４２・・・透明ガラス、４２ｂ・・・孔、４４・・・熱収縮チューブ、１０１，１０２・・・展示物。
【図１】
2006164907.tif 000003
【図２】
2006164907.tif 000004
【図３】
2006164907.tif 000005
【図４】
2006164907.tif 000006
【図５】
2006164907.tif 000007
【図６】
2006164907.tif 000008
【図７】
2006164907.tif 000009
【図８】
2006164907.tif 000010
【図９】
2006164907.tif 000011
【図１０】
2006164907.tif 000012
【図１１】
2006164907.tif 000013
【図１２】
2006164907.tif 000014
【図１３】
2006164907.tif 000015
【図１４】
2006164907.tif 000016
【手続補正書】
【提出日】平成17年12月9日(2005.12.9)
【手続補正１】
【補正対象書類名】特許請求の範囲
【補正対象項目名】請求項１０
【補正方法】変更
【補正の内容】
【請求項１０】
前記透光性の絶縁板の周縁には、少なくとも１個以上の孔が設けられた、
ことを特徴とする請求項１〜９のいずれかに記載の平面型照明装置。
【手続補正３】
【補正対象書類名】明細書
【補正対象項目名】００２０
【補正方法】変更
【補正の内容】
【００２０】
また、請求項１０に記載の平面型照明装置は、請求項１〜９のいずれかに記載の平面型照明装置に加えて、
前記透光性の絶縁板の周縁には、少なくとも１個以上の孔が設けられた、
ことを特徴とする。
【手続補正４】
【補正対象書類名】明細書
【補正対象項目名】００３０
【補正方法】変更
【補正の内容】
【００３０】
また、請求項１０に記載の平面型照明装置によれば、請求項１〜９のいずれかに記載の平面型照明装置の効果に加えて、
前記透光性の絶縁板の周縁に少なくとも１個以上の孔を設けたことにより、この孔を利用して、この平面型照明装置を吊り下げたり固定させたりすることができる。